(57)【特許請求の範囲】
【請求項１】
画像を形成する画像形成装置に用いられ、静電潜像担持体の外周面に対向して配置され、前記静電潜像担持体上の静電潜像を除電する除電装置であって、
少なくとも１つの発光体と、少なくとも１つの光拡散レンズと、を備え、
前記発光体から照射される光は、当該光の方向に対してそれぞれ鋸歯型の溝を複数形成した第１の光拡散レンズ及び第２の光拡散レンズを通過し、前記静電潜像担持体上の前記静電潜像に照射され、
前記第１の光拡散レンズ及び第２の光拡散レンズは、前記静電潜像担持体に向かう発光方向から発光体側にかけて階段状に配置されることを特徴とするものであることを特徴とする除電装置。
【請求項２】
前記光拡散レンズは、前記発光体の照射側に配される第１の光拡散レンズと、前記静電潜像担持体と前記除電装置が対向する発光方向上面側に配される第２の光拡散レンズとを備え、前記発光体から照射される光が、前記第１の光拡散レンズと前記第２の光拡散レンズとによって構成される二層を通過し、前記静電潜像担持体上の前記静電潜像に照射されることを特徴とする請求項１に記載の除電装置。
【請求項３】
前記除電装置を保護する保護部材を備え、
前記光拡散レンズは、前記保護部材に設けることを特徴とする請求項１又は２に記載の除電装置。
【請求項４】
レーザ光を偏向走査する光走査装置と、
前記光走査装置による前記レーザ光の照射により前記静電潜像が形成される前記静電潜像担持体と、
請求項１から３のいずれか１項に記載の除電装置と、
トナーを用いて前記静電潜像を可視化する現像装置と、
前記現像装置により付着された現像剤を記録媒体に転写する転写装置と、
を備えることを特徴とする画像形成装置。
【発明の詳細な説明】
【技術分野】
【０００１】
本発明は、複写機やプリンタ、ファクシミリ等に使用する除電装置及びこれを用いた画像形成装置に関する。
【背景技術】
【０００２】
従来、電子写真方式の画像形成装置において、感光体ドラム（静電潜像担持体）上の表面を帯電させ、帯電域を画像情報に応じて露光することで静電潜像を形成し、現像剤を用いて静電潜像を可視化（現像）する方法が採用されている。
【０００３】
感光体ドラムの帯電に先立って、感光体ドラムの表面上の電荷を除去するための除電装置が使用されている。除電装置によって、感光体ドラムの表面に光を照射して感光体ドラム内部にキャリアを発生させ、感光体ドラムの表面の電荷を除去している。
【０００４】
このような除電装置の光源として、ＬＥＤ（Ｌｉｇｈｔ  Ｅｍｉｔｔｉｎｇ  Ｄｉｏｄｅ）チップが使用され、このＬＥＤチップを複数個用いてＬＥＤアレイが形成される。近年、画像形成装置の小型化が求められていることから、ＬＥＤアレイを用いたが除電装置が採用されている。
【０００５】
ＬＥＤアレイにおいて、複数のＬＥＤチップを密に配置することで、被照射面である感光体ドラムの表面に対して、実質的に均一化した高い照度の光を照射することを可能にしている。
【０００６】
しかし、ＬＥＤアレイにおけるＬＥＤチップの使用個数が多いため、低価格化を図ることが困難になる。また、ＬＥＤチップの使用個数を減じた場合、各ＬＥＤチップの間隔が大きくなり、感光体ドラムの表面に照射される光の照度分布にムラが生じて均一な照度を得ることが困難になる。
【０００７】
特許文献１には、ＬＥＤアレイの照射方向上面に拡散シートや、若しくは半透明又はマット処理アクリル板の拡散板等の光拡散手段を設けることで、又はＬＥＤアレイを構成する発光部を保護する樹脂に光拡散効果を樹脂を用いることで、均一な照度の光を照射する技術が提案されている。
【先行技術文献】
【特許文献】
【０００８】
【特許文献１】特開平４−２８４４８４号公報
【発明の概要】
【発明が解決しようとする課題】
【０００９】
しかしながら、特許文献１の構成では、ＬＥＤチップの使用個数を減らすにつれて、ＬＥＤの光量を均一にするため透過率及び拡散性が一層高い光拡散面を要し、さらに、感光体ドラムの長手方向においてＬＥＤアレイの照射光量の分布にばらつきがある場合、画像ムラ等が生じて良好な画像を形成することができない。また、ＬＥＤチップの個数を減らすにつれて、拡散板又は拡散シートを用いることで光量ムラが生じて安定した画像を得ることができないという課題がある。
【００１０】
本発明は、上述のごとき実情に鑑みてなれたもので、除電装置のＬＥＤチップの個数を減じた場合でも、感光体ドラムに照射する照射光の光量を均一にすることができ、光量ムラによる画像不良を起こすことなく、常に安定した画質を得ることができる除電装置及びこれを用いた画像形成装置を提供することを目的とするものである。
【課題を解決するための手段】
【００１１】
上述した課題を解決するために本発明に係る除電装置及びこれを用いた画像形成装置の各構成は、次の通りである。
【００１２】
本発明は、画像を形成する画像形成装置に用いられ、静電潜像担持体の外周面に対向して配置され、前記静電潜像担持体上の静電潜像を除電する除電装置であって、
少なくとも１つの発光体と、少なくとも１つの光拡散レンズと、を備え、
前記発光体から照射される光は、当該光の方向に対して複数の鋸歯形状の溝を形成した光拡散レンズを介して前記静電潜像担持体上の前記静電潜像に照射され、
前記光拡散レンズは、
２層式鋸歯形状と１層式鋸歯形状とが階段状に交互に配置されることを特徴とするものである。 
【００１３】
また、本発明の除電装置の前記光拡散レンズは、前記発光体の照射側に配される第１の光拡散レンズと、前記静電潜像担持体と前記除電装置が対向する発光方向上面側に配される第２の光拡散レンズとを備え、前記発光体から照射される光が、前記第１の光拡散レンズと前記第２の光拡散レンズとによって構成される二層を通過し、前記静電潜像担持体上の前記静電潜像に照射されることを特徴とするものである。
【００１５】
また、本発明の除電装置は、前記除電装置を保護する保護部材を備え、前記光拡散レンズは、前記保護部材に設けることを特徴とするものである。
【００１６】
また、本発明の画像形成装置は、レーザ光を偏向走査する光走査装置と、前記光走査装置による前記レーザ光の照射により前記静電潜像が形成される前記静電潜像担持体と、前述の除電装置と、トナーを用いて前記静電潜像を可視化する現像装置と、前記現像装置により付着された現像剤を被記録媒体に転写する転写装置と、を備えることを特徴とするものである。
【発明の効果】
【００１７】
本発明によれば、除電装置は、画像を形成する画像形成装置に用いられ、静電潜像担持体の外周面に対向して配置され、前記静電潜像担持体上の静電潜像を除電する除電装置であって、少なくとも１つの発光体と、少なくとも１つの光拡散レンズと、を備え、前記発光体から照射される光は、前記光拡散レンズを介して前記静電潜像担持体上の前記静電潜像に照射されることで、ＬＥＤチップ個数を減らしながら、感光体ドラムに均一且つ適切な光量分布を有する光（除電光）を照射することができ、また、コスト削減を図り、光量ムラによる画像不良を起こすことを未然に防ぐことができ、常に安定した画質を提供することができるという優れた効果を奏し得る。
【００１８】
本発明によれば、除電装置の前記光拡散レンズは、前記発光体の照射側に配される第１の光拡散レンズと、前記静電潜像担持体と前記除電装置が対向する発光方向上面側に配される第２の光拡散レンズとを備え、前記発光体から照射される光が、前記第１の光拡散レンズと前記第２の光拡散レンズとによって構成される二層を通過し、前記静電潜像担持体上の前記静電潜像に照射されることで、前記静電潜像担持体に対して照射される光の光拡散性が増加し、全体としてより均一で適切な光量分布の光が形成されるので、光量ムラによる画像不良を起こすことを未然に防ぐことができ、常に安定した画質を提供することができるという優れた効果を奏し得る。
【００１９】
本発明によれば、除電装置の前記光拡散レンズは、高光拡散性を有し、前記発光体の照射する方向に対して二層且つ複数の鋸歯型の溝を形成することで、前記静電潜像担持体に対して照射される光の光拡散性が増加し、全体としてより均一で適切な光量分布の光が形成されるので、光量ムラによる画像不良を起こすことを未然に防ぐことができ、常に安定した画質を提供することができるという優れた効果を奏し得る。
【００２０】
本発明によれば、除電装置は、前記除電装置を保護する保護部材を備え、前記光拡散レンズは、前記保護部材に設けることで、除電装置内の配置された発行体の保護を確保でき、安定した画質を提供することができるという優れた効果を奏し得る。
【００２１】
本発明によれば、画像形成装置は、レーザ光を偏向走査する光走査装置と、前記光走査装置による前記レーザ光の照射により前記静電潜像が形成される前記静電潜像担持体と、前記除電装置と、トナーを用いて前記静電潜像を可視化する現像装置と、前記現像装置により付着された現像剤を被記録媒体に転写する転写装置と、を備えることで、ＬＥＤチップ個数を減らしながら、感光体ドラムに均一且つ適切な光量分布を有する光を照射することができ、また、コスト削減を図り、光量ムラによる画像不良を起こすことを未然に防ぐことができ、常に安定した画質を提供することができるという優れた効果を奏し得る。
できるという優れた効果を奏し得る。
【図面の簡単な説明】
【００２２】
【図１】第１の実施形態に係る現像装置を備える画像形成装置の構成を示すブロック図である。
【図２】本実施形態に係る画像形成装置の画像形成部の構成を示す概略図である。
【図３】本実施形態に係る画像形成装置の感光体ドラム周辺の説明図である。
【図４】本実施形態に係る除電装置の斜視図である。
【図５】本実施形態に係る除電装置の構成を示す概略図である。
【図６】本実施形態に係る除電装置のアクリル板カバーの部分拡大図である。
【図７】本実施形態に係る除電装置における二層式鋸歯形状の光拡散レンズカバーの光量分布と、従来の拡散カバーの光量分布とを比較したグラフである。
【発明を実施するための形態】
【００２３】
本実施形態に係る除電装置１を備える画像形成装置１００を説明する。図１は、本実施形態に係る除電装置１を備える画像形成装置１００の構成を示すブロック図である。尚、本実施形態では、画像形成装置１００における画像形成に係る主要な構成要素を中心に説明し、その他の補助的な構成要素の説明を省略する。
【００２４】
画像形成装置１００は、スキャナとプリンタと周辺機器とを備えた複合機であり、読取部２０６と、画像処理部２０７と、画像形成部２０８と、周辺機器制御部２０９と、操作部（図示せず）と、記憶部２０３と、制御部２０２、除電装置１とを備える。
【００２５】
読取部２０６は、原稿画像の読み取りを行い、読み取った原稿画像を画像処理部２０７で適正な電気信号に変換して画像データを生成する。画像形成部２０８は、生成された画像データを印刷出力する。周辺機器制御部２０９は、後処理装置であるフィニッシャーやソーターなどの周辺機器を制御する。操作部は、入力部２０４と表示部２０５とを備える。
【００２６】
次に、画像形成部２０８の具体的な構成及び動作について説明する。
【００２７】
図２は、画像形成装置１００における画像形成部２０８の具体的な構成の模式図である。画像形成装置１００は、電子写真方式のフルカラー画像形成装置であり、例えば、ネットワークを介して外部から送信されてくる画像データや読取部２０６によって読み取った画像データに基づいて、記録媒体（転写媒体）に対し多色または単色の画像を形成する。
【００２８】
図２に示すように、画像形成装置１００は、可視像形成ユニット１０、供給トレイ２０、記録媒体搬送手段３０および定着装置４０を備える。ここでは、可視像形成ユニット１０にて現像した像（トナー像）は、記録媒体Ｐ（用紙）に直接転写するものとするが、中間転写ベルト等の中間転写媒体に転写するような構成としても良い。
【００２９】
可視像形成ユニット１０には、イエロー（Ｙ）、マゼンタ（Ｍ）、シアン（Ｃ）、ブラック（Ｂ）の各色に対応して、４つの可視像形成ユニット１０Ｙ，１０Ｍ，１０Ｃ，１０Ｂが並設される。つまり、可視像形成ユニット１０は、４つの可視像形成ユニット１０Ｙ，１０Ｍ，１０Ｃ，１０Ｂからなり、可視像形成ユニット１０Ｙは、イエロー（Ｙ）のトナーを用いて画像形成を行い、可視像形成ユニット１０Ｍはマゼンダ（Ｍ）のトナーを用いて画像形成を行い、可視像形成ユニット１０Ｃはシアン（Ｃ）のトナーを用いて画像形成を行い、可視像形成ユニット１０Ｂはブラック（Ｂ）のトナーを用いて画像形成を行う。具体的な配置としては、供給トレイ２０から定着装置４０へ記録媒体Ｐを搬送する搬送路に沿って、４組の可視像形成ユニット１０Ｙ，１０Ｍ，１０Ｃ，１０Ｂが配設されており、搬送される記録媒体Ｐに各色のトナーを多重転写する。
【００３０】
図２に示すように、可視像形成ユニット１０（１０Ｙ，１０Ｍ，１０Ｃ，１０Ｂ）は、それぞれ実質的に同一の構成を有する。すなわち、それぞれに、感光体（感光体ドラム、像担持体）１１（１１Ｙ、１１Ｍ、１１Ｃ、１１Ｂ）、帯電装置３０１（３０１Ｙ、３０１Ｍ、３０１Ｃ、３０１Ｂ）、温湿度センサー３１３（３１３Ｙ、３１３Ｍ、３１３Ｃ、３１３Ｂ）、レーザ光照射手段１３（１３Ｙ、１３Ｍ、１３Ｃ、１３Ｂ）、現像装置１４（１４Ｙ、１４Ｍ、１４Ｃ、１４Ｂ）、転写ローラ１５（１５Ｙ、１５Ｍ、１５Ｃ、１５Ｂ）、クリーナユニット１６（１６Ｙ、１６Ｍ、１６Ｃ、１６Ｂ）および除電装置１（１Ｙ、１Ｍ、１Ｃ、１Ｂ）が設けられている。尚、感光体ドラム１１、レーザ光照射手段１３および現像装置１４は、画像形成手段に相当する。
【００３１】
図３は、可視像形成ユニット１０の構成を示す概略図である。可視像形成ユニット１０において、帯電装置３０１、レーザ光照射手段１３、現像装置１４、転写ローラ１５、クリーナユニット１６および除電装置１がこの順で静電潜像担持体である感光体ドラム１１の表面を臨むように配置されている。
【００３２】
帯電手段である帯電装置３０１は、感光体ドラム１１の表面を所定の電位に均一に帯電させる装置であり、感光体ドラム１１の表面から非接触で近接させてコロナ放電とグリッドバイアス制御によって帯電させる非接触帯電方式のコロナ帯電方式の帯電装置を用いている。
【００３３】
レーザ光照射手段１３は、帯電装置３０１によって帯電された感光体ドラム１１の表面を画像データに応じて露光し、感光体ドラム１１の表面に静電潜像を形成する装置である。
【００３４】
現像装置１４は、感光体ドラム１１の表面に形成される静電潜像にトナーを供給して現像し、可視像であるトナー像を形成する装置である。感光体ドラム１１の表面へのトナーの供給に際しては、現像装置１４にトナーの帯電電位とは逆極性の電位が現像バイアス電圧として印加される。これによって、トナーが静電潜像に円滑に供給される。
【００３５】
転写ローラ１５は、トナーとは逆極性のバイアス電圧を印加されており、感光体ドラム１１に形成されたトナー像を、記録媒体搬送手段３０によって搬送される記録媒体Ｐに転写させる装置である。
【００３６】
クリーナユニット１６は、転写ローラ１５による転写処理の後に、感光体ドラム１１の表面に残留したトナーを除去および回収する。クリーナユニット１６は、ケース５４およびクリーニングブレード５１を備えている。クリーニングブレード５１は、感光体ドラム１１の表面に残留するトナーを回収するためのものであり、感光体ドラム１１の軸方向を長手方向とする長尺状のゴム部材によって形成されている。
【００３７】
除電装置１は、クリーニング処理後において感光体ドラム１１上の残留電荷を除電する装置である。除電装置１については後述する。
【００３８】
上記の構成の各可視像形成ユニット１０において、感光体ドラム１１は除電装置１で除電された後、帯電装置３０１によって表面が帯電され、帯電した感光体ドラム１１の表面をレーザ光照射手段１３で露光して静電潜像を形成し、静電潜像を現像装置１４によって現像し、現像したトナー像を転写ローラ１５によって記録媒体Ｐに転写する。転写後に感光体ドラム１１の表面に残ったトナー像は、クリーナユニット１６によって除去回収される。そして、このような記録媒体Ｐに対するトナー像の転写を、各色の可視像形成ユニット１０において順次行うことで、記録媒体Ｐに各色のトナー像が多重転写される。
【００３９】
また、記録媒体搬送手段３０は、図２に示すように、駆動ローラ３１、アイドリングローラ３２および搬送ベルト３３を含み、各可視像形成ユニット１０によって記録媒体Ｐにトナー像が転写されるように、記録媒体を搬送する。
【００４０】
駆動ローラ３１およびアイドリングローラ３２は、無端状の搬送ベルト３３を張架するものであり、駆動ローラ３１が所定の周速度で回転駆動されることで、搬送ベルト３３が回転する。また、搬送ベルト３３は、外側表面は所定の電位に帯電しており、記録媒体Ｐを静電吸着しながら搬送する。
【００４１】
記録媒体搬送手段３０によって搬送されて各可視像形成ユニット１０を通過し、トナー像（未定着トナー像）が転写された記録媒体は、駆動ローラ３１の曲率によって搬送ベルト３３から剥離され、定着装置４０に搬送される。
【００４２】
定着装置４０は、記録媒体に適度な熱と圧力とを与えて、記録媒体Ｐ上に転写されたトナーを溶解させて記録媒体に定着させ、記録媒体を排紙トレイ（図示せず）に排出する。定着装置４０の構成は特に限定されるものではなく、例えば、加熱ローラ４１と加圧ローラ４２とを備え、これら両ローラによって記録媒体を挟持しながら搬送する構成のものを用いることができる。これらの動作によって、記録媒体Ｐに画像が形成される。
【００４３】
尚、前述の画像形成装置１００に備えられる上記各部材の動作は、制御手段である制御部（図示しない制御用集積回路基板または図示しないコンピュータ）２０２によって制御される。また、制御部２０２は、マイクロコンピュータと、該マイクロコンピュータが実行する処理の手順を示した制御プログラムを格納するＲＯＭ（Read Only Memory）と、作業用のワークエリアを提供するＲＡＭ（Random Access Memory）と、算出した累積トナー補給時間を一時的に記憶するＥＥＰＲＯＭ（Electronically Erasable Programmable ROM）不揮発性メモリ、スイッチ（図示せず）からの信号を入力する回路であって入力バッファやＡ／Ｄ変換回路を含む入力回路と、モータやソレノイドまたはランプなどを駆動するドライバを含む出力回路等とから構成される。
【００４４】
次に、本発明に係る除電装置１を説明する。図４は、除電装置１の外観を示す斜視図である。
【００４５】
除電装置１は、図５に示すように、感光体ドラムに照射する光源としてのＬＥＤチップＤ（Ｄ１〜Ｄ１２）を複数個備えたＬＥＤアレイ３と、ＬＥＤアレイ３を保持する樹脂フレーム４と、各ＬＥＤチップＤを保護し光拡散用途を持つ二層式鋸歯形状の光拡散レンズ（第１の光拡散レンズ８、第２の光拡散レンズ９）を設けたアクリル板カバー２を備える。尚、本実施形態では、１２個のＬＥＤチップＤ（Ｄ１〜Ｄ１２）を備える例を示したが、これに限定されない。
【００４６】
除電装置１は、プロセスカートリッジ（図示せず）に搭載される。除電装置１は、画像形成装置１００の装置本体に取り付けられた帯電装置３０１を取り外して除電装置１を摺動することにより着脱自在となっている。
【００４７】
図６は、アクリル板カバー２の部分拡大図である。アクリル板カバー２は、ＬＥＤチップＤから照射される光が発光される発光側（ＬＥＤチップ発光側６）に配される第１の光拡散レンズ８、ＬＥＤチップＤ（Ｄ１〜Ｄ１２）がアレイ状に配列された除電装置１の上面（発光方向上面５）に配される第２の光拡散レンズ９を備え、各ＬＥＤチップＤから照射される光は、第１及び第２の光拡散レンズ８、９をそれぞれ通過する構成とする。
【００４８】
ＬＥＤチップ発光側６と発光方向上面５とに配置される上記第１及び第２の光拡散レンズ８、９は、光拡散性の高い材質から成り、複数の鋸歯型の溝を有し、これらの複数の鋸歯型の溝は密に配置されている。
【００４９】
また、第１及び第２光拡散のレンズ８、９は、発光方向上面５からＬＥＤチップ発光側６にかけて階段状に配置される。
【００５０】
二層に配置された第１及び第２の光拡散レンズは、各ＬＥＤチップＤから照射される光を効果的に拡散し、光量ムラを防止しながら感光体ドラム１１に光を照射することができる。このように効果的に光拡散を行うことで、使用するＬＥＤチップＤの個数を減らすことができ、コストを削減できる。
【００５１】
また、使用するＬＥＤチップＤの個数を減らすことで、除電装置１と感光体ドラム１１との間隔を小さくすることができるため、感光体ドラム１１に照射する際に生じ得る光量ムラを防止することができる。
【００５２】
次に、本実施形態に係る除電装置１を備える画像形成装置１００によって形成される画像と、光拡散性と光透過率が高い従来の拡散フィルムカバーを備える画像形成装置によって形成される画像とを比較する実験結果を示す。
【００５３】
〔実験例１〕
ＬＥＤアレイ及び従来の拡散フィルムカバーを発光方向上面に設けた除電装置を備える画像形成装置を用いて画像の形成を行い、形成された画像の良・不良を検証した。使用するＬＥＤアレイにおいて、ＬＥＤチップの個数を１２個とし、ＬＥＤチップ間隔は３０ｍｍである。ＬＥＤチップのタイプは側面発光の単色タイプを使用した。拡散フィルムカバーはヘーズ（９２％）、全光線透過率（９９％）の拡散フィルムを使用した。単色ベタ印字を通じて除電の際の光量ムラによる画像不良が画質に現れた。光拡散性・光透過率が異なる拡散フィルムカバーと半透明、又は粗面アクリル板を使用したが、前記と同様に光量ムラによる画像不良が発生した。
【００５４】
〔実験例２〕
次に、本実施形態に係る除電装置１を備える画像形成装置１００を用いて画像の形成を行い、形成された画像の良・不良を検証した。尚、除電装置１は、上述したように、ＬＥＤチップＤ（Ｄ１〜Ｄ１２）を備えるＬＥＤアレイ３、第１の光拡散レンズ８及び第２の光拡散レンズ９を備えるアクリル板カバー２、樹脂フレーム４を備える。
【００５５】
実験例１と同様に、使用するＬＥＤアレイにおいて、ＬＥＤチップの個数を１２個とし、ＬＥＤチップ間隔は３０ｍｍと設定した。ＬＥＤチップのタイプは側面発光の単色タイプを使用した。また、二層式鋸歯形状の光拡散レンズ（第１及び第２の光拡散レンズ８、９）を備えるアクリル板カバー２には、アクリル性を有する材料を使用した。除電装置１を備える画像形成装置１００を用いて、単色ベタ印字を通じて除電の際の光量ムラによる画像不良を起こすこと無く、常に安定した画質が得られた。尚、拡散フィルムカバー以外を除いて実験例１と同様の条件で画像形成の検証を行った。
【００５６】
次に、本実施形態に係る除電装置１のＬＥＤアレイ３を用いて測定した光量分布について説明する。
【００５７】
図７は、本実施形態に係る除電装置１のＬＥＤアレイ３を用いて測定した光量分布と、従来の除電装置の拡散フィルムを用いて測定した光量分布とを比較したグラフである。
【００５８】
二層式鋸歯形状の光拡散レンズ（第１及び第２の光拡散レンズ８、９）を設けたアクリル板カバー２を介して、ＬＥＤチップＤ（Ｄ１〜Ｄ１２）から照射された光を測定した際、照射された光の光量分布をＷ２で示す。一方、従来の拡散フィルムを設けたアクリル板を介して、ＬＥＤチップＤ（Ｄ１〜Ｄ１２）から照射された光を測定した際、照射された光の光量分布をＷ１で示す。
【００５９】
光量分布Ｗ２は、図７に示すように、光量分布Ｗ１に比べて、光拡散性が増加し、全体としてより一様な光量分布カーブを形成する。このため、感光体ドラム１１に対して照射される光として、均一で適切な光量分布の光が形成される。この二層式鋸歯形状の光拡散レンズは、透明性が高いため、拡散フィルムに比べ必要な除電光量の確保が容易である。
【００６０】
本発明は、ＬＥＤチップをアレイ状に配列したＬＥＤアレイを備える除電装置を保護するアクリル板カバーに、ＬＥＤチップ発光側と、除電装置の発光方向上面とに、光拡散性の高い階段状且つ鋸歯型の溝を密に施した二層式鋸歯形状の光拡散レンズを設け、各ＬＥＤチップから照射される光を、二層式鋸歯形状の光拡散レンズを介して感光体ドラムの表面に照射することで、ＬＥＤチップ個数を減らした場合でも、感光体ドラムに均一且つ適切な光量分布を有する光（除電光）を照射することができるため、コストを削減でき、光量ムラによる画像不良を起こすことを未然に防ぐことができる。従って、常に安定した画質を提供することができる。
【符号の説明】
【００６１】
１  除電装置
２  アクリル板カバー
３  ＬＥＤアレイ
４  樹脂フレーム
５  発光方向上面
６  ＬＥＤチップ発光側
８  第１の光拡散レンズ
９  第２の光拡散レンズ
１１  感光体ドラム
１００  画像形成装置
２０６  読取部
２０７  画像処理部
２０８  画像形成部
２０９  周辺機器制御部
２０３  記憶部
２０２  制御部
Ｄ（Ｄ１〜Ｄ１２）  ＬＥＤチップ
【図１】
0006008511.tif 000002
【図２】
0006008511.tif 000003
【図３】
0006008511.tif 000004
【図４】
0006008511.tif 000005
【図５】
0006008511.tif 000006
【図６】
0006008511.tif 000007
【図７】
0006008511.tif 000008